(57)【要約】【課題】  ゲストの異常行動を目視で容易に発見できるようにする。【解決手段】  電子名札装置２は、施設のスタッフ１０２に割り当てられ、スタッフ１０２の顔画像を表示する。電子名札装置１は、ゲスト１０１に割り当てられて貸与され、ゲスト１０１の顔画像を表示する。監視装置４は、施設内の監視領域に設置されているセンサーネットワーク３を使用して、施設内の電子名札装置１，２の位置を監視する。ゲート装置６は、ゲスト１０１が割り当てられた後に電子名札装置１が施設へ入場することを許可するとともに、電子名札装置２の認証成功後に電子名札装置２が施設へ入場することを許可する。ゲスト管理装置５は、撮影装置で、施設内でかつ監視領域外でゲスト１０１の顔画像を撮影し、撮影したゲスト１０１の顔画像を無線通信で電子名札装置１に送信し表示させる。【選択図】  図１
2018124958.tif 000002
【特許請求の範囲】
【請求項１】
施設における各スタッフに割り当てられ、他者から目視可能な状態で前記スタッフに携帯されるスタッフ用電子名札装置と、
各ゲストに割り当てられ貸与され、他者から目視可能な状態で前記ゲストに携帯されるゲスト用電子名札装置と、
前記施設内の監視領域に設置されているセンサーネットワークを使用して、前記施設内の前記スタッフ用電子名札装置の位置および前記ゲスト用電子名札装置の位置を監視する監視装置と、
前記ゲスト用電子名札装置にゲストを割り当てるゲスト管理装置と、
前記ゲストが割り当てられた後に前記ゲスト用電子名札装置が前記施設へ入場することを許可するとともに、前記スタッフ用電子名札装置の認証成功後に前記スタッフ用電子名札装置が前記施設へ入場することを許可するゲート装置とを備え、
前記スタッフ用電子名札装置は、当該スタッフ用電子名札装置を割り当てられている前記スタッフの顔画像を表示し、
前記ゲスト用電子名札装置は、当該ゲスト用電子名札装置を割り当てられている前記ゲストの顔画像を表示する表示装置と、前記ゲスト管理装置と無線で通信する第１無線通信装置とを備え、
前記ゲスト管理装置は、前記施設内でかつ前記監視領域外で前記ゲストの顔画像を撮影する撮影装置と、前記ゲスト用電子名札装置の前記第１無線通信装置と無線で通信する第２無線通信装置と、撮影された前記ゲストの顔画像を前記第２無線通信装置で前記ゲスト用電子名札装置に送信し表示させる所持者登録部とを備えること、
を特徴とするセキュリティシステム。
【請求項２】
前記監視装置は、前記ゲスト用電子名札装置の位置が、前記ゲストの進入が許可されていない領域内である場合、前記センサーネットワークを使用して、警告指令を前記ゲスト用電子名札装置へ送信し、
前記ゲスト用電子名札装置は、前記第１無線通信装置で前記警告指令を受信すると、前記表示装置に警告画面を表示させること、
を特徴とする請求項１記載のセキュリティシステム。
【請求項３】
前記ゲスト管理装置は、前記ゲストの退場時に、前記第２無線通信装置で顔画像削除指令を前記ゲスト用電子名札装置に送信し、前記ゲストの顔画像を前記ゲスト用電子名札装置から削除させることを特徴とする請求項１記載のセキュリティシステム。
【請求項４】
前記スタッフ用電子名札装置および前記ゲスト用電子名札装置は、それぞれ、前記スタッフおよび前記ゲストの操作を受け付ける入力装置を備えていないことを特徴とする請求項１から請求項３のうちのいずれか１項記載のセキュリティシステム。
【請求項５】
前記スタッフ用電子名札装置および前記ゲスト用電子名札装置は、それぞれ、指向性無線通信部を備え、
前記スタッフ用電子名札装置および前記ゲスト用電子名札装置の前記指向性無線通信部は、それぞれ、前記顔画像の表示面に垂直な方向を含み、かつ前記表示面に水平な方向を含まない所定の角度範囲で通信可能であって、
前記ゲスト用電子名札装置の前記指向性無線通信部は、当該ゲスト用電子名札装置の機器ＩＤを送信し、
前記スタッフ用電子名札装置の前記指向性無線通信部は、通信可能な前記ゲスト用電子名札装置の前記指向性無線通信部からの機器ＩＤを受信し、
前記ゲスト管理装置は、前記スタッフ用電子名札装置の前記指向性無線通信部により前記機器ＩＤが所定時間受信されなかった前記ゲスト用電子名札装置を検出すること、
を特徴とする請求項１から請求項４のうちのいずれか１項記載のセキュリティシステム。
【請求項６】
前記スタッフ用電子名札装置および前記ゲスト用電子名札装置は、それぞれ、指向性無線通信部を備え、
前記スタッフ用電子名札装置および前記ゲスト用電子名札装置の前記指向性無線通信部は、それぞれ、前記顔画像の表示面に垂直な方向を含み、かつ前記表示面に水平な方向を含まない所定の角度範囲で通信可能であって、
前記スタッフ用電子名札装置の前記指向性無線通信部は、当該スタッフ用電子名札装置の機器ＩＤを送信し、
前記ゲスト用電子名札装置の前記指向性無線通信部は、通信可能な前記スタッフ用電子名札装置の前記指向性無線通信部からの機器ＩＤを受信し、
前記ゲスト管理装置は、前記ゲスト用電子名札装置の前記指向性無線通信部により前記スタッフ用電子名札装置の機器ＩＤが受信されなかった前記ゲスト用電子名札装置を検出すること、
を特徴とする請求項１から請求項４のうちのいずれか１項記載のセキュリティシステム。
【請求項７】
前記監視装置は、前記ゲスト管理装置により検出された前記ゲスト用電子名札装置へ前記センサーネットワークを使用して、警告指令を送信し、
前記ゲスト用電子名札装置は、前記第１無線通信装置で前記警告指令を受信すると、前記表示装置に警告画面を表示させること、
を特徴とする請求項５または請求項６記載のセキュリティシステム。
【発明の詳細な説明】
【技術分野】
【０００１】
本発明は、セキュリティシステムに関するものである。
【背景技術】
【０００２】
あるセキュリティシステムでは、基地局が分散設置された施設内を、人が無線モバイルセンサーノードを携帯して移動すると、無線モバイルセンサーノードは最も近い基地局と通信する。そして、無線モバイルセンサーノードと通信する基地局が切り替わることが検出され、その人の行動が監視される（例えば特許文献１参照）。
【０００３】
他方、ある電子名刺システムでは、電子名刺機が、サーバーから、電子名刺機の機器ＩＤに対応するユーザーＩＤ、個人情報、および顔写真データをダウンロードして、ユーザーＩＤ、個人情報、および顔写真を表示部に表示する（例えば特許文献２参照）。このシステムでは、来訪者は、自己の電子名刺機を有しており、来訪者の到着時に面会者の個人情報などが来訪者の電子名刺機へ送信され表示される。
【先行技術文献】
【特許文献】
【０００４】
【特許文献１】特開２００６−２５９９５３号公報
【特許文献２】特開２００６−１２７０６４号公報
【発明の概要】
【発明が解決しようとする課題】
【０００５】
しかしながら、上述のセキュリティシステムでは、悪意のあるゲストが、自己の無線モバイルセンサーノードを携帯せずに移動した場合でも、そのゲストの行動を、スタッフなどが容易に発見することは困難である。また、上述のセキュリティシステムでは、悪意のあるゲストが、スタッフの無線モバイルセンサーノードを不正に入手した場合、スタッフになりすますことができ、そのゲストの行動を、スタッフなどが容易に発見することは困難である。
【０００６】
また、上述のような電子名刺機を使用することも考えられるが、来訪者（つまり、ゲスト）が自己の電子名刺機を用意しておく必要があり、現実的ではない。また、その場合、悪意のあるゲストが、予め、自己の電子名刺機に表示される顔写真を自己の顔写真とスタッフの顔写真とに切換可能としておくことで、ゲストとして入場した後に、そのスタッフに容易になりすますことができてしまう。
【０００７】
本発明は、上記の問題に鑑みてなされたものであり、ゲストの異常行動を目視で容易に発見できるようにするセキュリティシステムを得ることを目的とする。
【課題を解決するための手段】
【０００８】
本発明に係るセキュリティシステムは、施設における各スタッフに割り当てられ、他者から目視可能な状態で前記スタッフに携帯されるスタッフ用電子名札装置と、各ゲストに割り当てられ貸与され、他者から目視可能な状態で前記ゲストに携帯されるゲスト用電子名札装置と、前記施設内の監視領域に設置されているセンサーネットワークを使用して、前記施設内の前記スタッフ用電子名札装置の位置および前記ゲスト用電子名札装置の位置を監視する監視装置と、前記ゲスト用電子名札装置にゲストを割り当てるゲスト管理装置と、前記ゲストが割り当てられた後に前記ゲスト用電子名札装置が前記施設へ入場することを許可するとともに、前記スタッフ用電子名札装置の認証成功後に前記スタッフ用電子名札装置が前記施設へ入場することを許可するゲート装置とを備える。そして、前記スタッフ用電子名札装置は、当該スタッフ用電子名札装置を割り当てられている前記スタッフの顔画像を表示する。前記ゲスト用電子名札装置は、当該ゲスト用電子名札装置を割り当てられている前記ゲストの顔画像を表示する表示装置と、前記ゲスト管理装置と無線で通信する第１無線通信装置とを備える。前記ゲスト管理装置は、前記施設内でかつ前記監視領域外で前記ゲストの顔画像を撮影する撮影装置と、前記ゲスト用電子名札装置の前記第１無線通信装置と無線で通信する第２無線通信装置と、撮影された前記ゲストの顔画像を前記第２無線通信装置で前記ゲスト用電子名札装置に送信し表示させる所持者登録部とを備える。
【発明の効果】
【０００９】
本発明によれば、ゲストの異常行動を目視で容易に発見できるようにするセキュリティシステムが得られる。
【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係るセキュリティシステムの構成を示すブロック図である。
【図２】図２は、図１における電子名札装置１，２の構成を示すブロック図である。
【図３】図３は、図１における電子名札装置１，２を示す斜視図である。
【図４】図４は、図１におけるゲスト管理装置５およびスタッフ管理装置７の構成を示すブロック図である。
【図５】図５は、実施の形態２における電子名札装置１，２の一例を示すブロック図である。
【発明を実施するための形態】
【００１２】
以下、図に基づいて本発明の実施の形態を説明する。
【００１３】
実施の形態１．
【００１４】
図１は、本発明の実施の形態に係るセキュリティシステムの構成を示すブロック図である。図１に示すセキュリティシステムにおいて、電子名札装置１は、企業などの施設において各ゲスト１０１に割り当てられ滞在中のみ貸与されるゲスト用電子名札装置であり、電子名札装置２は、施設における各スタッフ１０２に割り当てられるスタッフ用電子名札装置である。なお、電子名札装置１，２は、携帯可能であって、ストラップやクリップによって、他者から目視可能な状態でスタッフ１０２またはゲスト１０１に身に付けられる。電子名札装置１は、当該電子名札装置１を割り当てられているゲストの顔画像を表示し、電子名札装置２は、当該電子名札装置２を割り当てられているスタッフの顔画像を表示する。
【００１５】
また、施設内には、センサーネットワーク３、監視装置４、ゲスト管理装置５、ゲート装置６、およびスタッフ管理装置７が設置されている。
【００１６】
センサーネットワーク３は、施設内の監視領域に分散配置されたセンサーノードを備える。監視領域は、ゲート装置６より内側に設定されている。各センサーノードは、所定距離の範囲内に存在する電子名札装置１，２と無線通信可能な無線通信インターフェイスを備え、その無線通信インターフェイスを使用して、所定距離の範囲内に存在する電子名札装置１，２を検出し、検出した電子名札装置１，２の機器ＩＤなどを監視装置４へ通知する。
【００１７】
監視装置４は、有線通信または無線通信でセンサーネットワーク３に接続されており、センサーネットワーク３の各センサーノードのノードＩＤおよび設置場所を互いに関連付けて図示せぬデータベースで管理している。そして、監視装置４は、施設内の監視領域に設置されているセンサーネットワーク３を使用して、施設内の電子名札装置１の位置（つまり、ゲスト１０１の位置）および電子名札装置２の位置（つまり、スタッフ１０２の位置）を監視する。
【００１８】
監視装置４は、ゲスト管理装置５、ゲート装置６、スタッフ管理装置７などと通信可能な通信装置、センサーネットワーク３と通信可能な通信装置などを備える端末装置である。監視装置４は、電子名札装置１を検出したセンサーノードの位置を、ゲスト１０１に割り当てられた電子名札装置１の位置として特定し、その位置が、ゲスト１０１の進入が許可されていない領域内である場合、センサーネットワーク３を使用して、警告指令をその電子名札装置１へ送信する。
【００１９】
ゲスト管理装置５は、電子名札装置１にゲスト１０１を割り当てる端末装置である。ゲスト管理装置５は、施設内でかつ監視領域の外側（つまり、例えば建物入口のロビーなどといったゲート装置６より外側）に設置される。
【００２０】
ゲート装置６は、ゲスト１０１が割り当てられた後に電子名札装置１（つまり、ゲスト１０１）が施設へ入場することを許可するとともに、電子名札装置２の認証成功後に電子名札装置２（つまり、スタッフ１０２）が施設へ入場することを許可する。なお、ゲート装置６は、電子名札装置１，２を有さない者の入場を拒否する。また、ゲート装置６は、電子名札装置２の認証に失敗した場合には、そのスタッフ１０２の入場を拒否する。
【００２１】
スタッフ管理装置７は、電子名札装置２にスタッフ１０２を割り当てる端末装置である。なお、ゲスト管理装置５は、ゲスト１０１の来訪時に、電子名札装置１にゲスト１０１を割り当てるが、スタッフ管理装置７は、スタッフ１０２の加入時に、電子名札装置２にスタッフ１０２を割り当てる。
【００２２】
図２は、図１における電子名札装置１，２の構成を示すブロック図である。図３は、図１における電子名札装置１，２を示す斜視図である。
【００２３】
電子名札装置１，２は、図２に示すような共通のハードウェアを備える。具体的には、電子名札装置１，２は、表示装置１１、無線通信装置１２、記憶装置１３、音声出力部１４、演算処理装置１５、および電源部１６を備える。
【００２４】
表示装置１１は、液晶ディスプレイ、有機ＥＬディスプレイなどの薄型ディスプレイパネル１１ａ、インジケーター１１ｂなどを備え、その薄型ディスプレイパネル１１ａで、少なくとも当該電子名札装置１，２の所持者（スタッフ１０２またはゲスト１０１）の顔画像を表示する。
【００２５】
無線通信装置１２は、例えば数メートルから数十メートル程度の通信可能範囲の近距離無線通信の無線通信装置である。例えば、無線通信装置１２は、ＢＬＥ（Bluetooth Low Energy）などのブルートゥース（登録商標）の無線インターフェイスである。
【００２６】
無線通信装置１２は、通信可能範囲内の、センサーネットワーク３のセンサーノード、ゲスト管理装置５、スタッフ管理装置７などと通信可能となっている。
【００２７】
記憶装置１３は、所持者の顔画像の画像データを記憶する書き換え可能なメモリーである。記憶装置１３としては、揮発性メモリー、不揮発性メモリーなどが適宜使用される。
【００２８】
音声出力部１４は、動作音、警告音などをスピーカーなどで出力する。
【００２９】
演算処理装置１５は、ＣＰＵ（Central Processing Unit）などを有するコンピューターを備え、記憶装置１３または図示せぬ記憶装置に記憶されているプログラムを実行することで各種処理部として動作する。ここでは、演算処理装置１５は、所持者設定部２１、表示制御部２２、設定削除部２３、および警告処理部２４として動作する。
【００３０】
所持者設定部２１は、無線通信装置１２を使用して、ゲスト管理装置５またはスタッフ管理装置７から、所持者（ゲスト１０１またはスタッフ１０２）の顔画像の画像データを所持者の属性情報とともに受信し、受信した画像データおよび属性情報を記憶装置１３に格納する。属性情報は、所持者種別（スタッフまたはゲスト）、およびスタッフの場合のスタッフＩＤ、氏名、所属部門名などを含む。
【００３１】
表示制御部２２は、記憶装置１３内の画像データに基づき、図３に示すように所持者の顔画像を、表示装置１１の薄型ディスプレイパネル１１ａに表示させる。このとき、表示制御部２２は、所持者種別がゲストである場合には、ゲストであることを示す画像（例えば図３に示すような「ゲスト」というテキスト）を、顔画像とともに薄型ディスプレイパネル１１ａに表示させ、所持者種別がスタッフである場合には、記憶装置１３内の属性情報に基づき、スタッフの氏名および所属部門名などを、顔画像とともに薄型ディスプレイパネル１１ａに表示させる。
【００３２】
設定削除部２３は、無線通信装置１２で顔画像削除指令を受信したときに、記憶装置１３内の顔画像の画像データを削除する。なお、画像データとともに属性情報も削除される。
【００３３】
警告処理部２４は、監視装置４から無線通信装置１２で警告指令を受信したときに、警告画面を表示装置１１の薄型ディスプレイパネル１１ａに表示させる。また、併せて、警告処理部２４は、音声出力部１４に警告音を出力させてもよい。
【００３４】
電源部１６は、当該電子名札装置１，２の内部装置（表示装置１１、無線通信装置１２、記憶装置１３、音声出力部１４、演算処理装置１５など）に電源電力を供給する。電源部１６は、１次電池であってもよいし、２次電池およびその２次電池を充電する充電回路であってもよい。その充電回路は、図３に示すような電源端子１６ａを介した接触方式、または非接触方式で外部から供給される電力で２次電池を充電する。
【００３５】
図４は、図１におけるゲスト管理装置５およびスタッフ管理装置７の構成を示すブロック図である。ゲスト管理装置５およびスタッフ管理装置７は、図４に示すような共通のハードウェアを備える。具体的には、ゲスト管理装置５およびスタッフ管理装置７は、それぞれ、撮影装置３１、入力装置３２、無線通信装置３３、通信装置３４、および演算処理装置３５を備える。
【００３６】
撮影装置３１は、電子名札装置１，２に割り当てられる所持者（ゲスト１０１またはスタッフ１０２）の顔画像を撮影する。
【００３７】
具体的には、ゲスト管理装置５の撮影装置３１は、施設内でかつ監視領域外（つまり、ゲート装置６より外側）でゲストの顔画像を撮影する。
【００３８】
入力装置３２は、ユーザー操作を受け付けるキーボード、ハードキー、ソフトキーなどの装置である。スタッフ管理装置７では、所持者がスタッフである場合の所持者の属性情報（氏名など）の入力に、入力装置３２が使用される。
【００３９】
無線通信装置３３は、電子名札装置１，２（つまり、無線通信装置１２）と通信可能となっている。
【００４０】
通信装置３４は、監視装置４と通信可能な通信装置である。例えば、監視装置４、ゲスト管理装置５、およびスタッフ管理装置７がイントラネットに接続されている場合、通信装置３４は、そのイントラネットに接続されるネットワークインターフェイスとされる。
【００４１】
演算処理装置３５は、ＣＰＵなどを有するコンピューターを備え、図示せぬ記憶装置に記憶されているプログラムを実行することで各種処理部として動作する。ここでは、演算処理装置３５は、所持者情報取得部４１、所持者登録部４２、および登録削除部４３として動作する。
【００４２】
所持者情報取得部４１は、入力装置３２に対する操作に従って撮影装置３１を制御して、ゲスト１０１またはスタッフ１０２の顔画像を撮影装置３１に撮影させ、その顔画像の画像データを所持者登録部４２に提供する。また、スタッフ管理装置７の所持者情報取得部４１は、入力装置３２に対して入力されるスタッフの属性情報を取得し、所持者登録部４２に提供する。
【００４３】
所持者登録部４２は、撮影装置３１により撮影されたゲスト１０１またはスタッフ１０２の顔画像（顔画像の画像データ）を無線通信装置３３で電子名札装置１，２に送信し、電子名札装置１，２に登録するとともに表示させる。
【００４４】
登録削除部４３は、入力装置３２に対する操作に従って、顔画像削除指令を無線通信装置３３で電子名札装置１，２に送信する。ゲスト管理装置５の登録削除部４３は、ゲスト１０１の退場時に、無線通信装置３３で顔画像削除指令をそのゲスト１０１の電子名札装置１に送信する。これにより、そのゲスト１０１の顔画像が顔画像削除指令に従ってその電子名札装置１から削除される。
【００４５】
次に、上記セキュリティシステムの動作について説明する。
【００４６】
（ａ）スタッフに関する動作
【００４７】
（ａ１）スタッフの登録
【００４８】
まず、スタッフ１０２の加入時に、管理者などが、スタッフ管理装置７を操作して、そのスタッフ１０２に、固有の電子名札装置２（つまり、別のスタッフに割り当てられていない電子名札装置２）を割り当てる。
【００４９】
スタッフ管理装置７では、入力装置３２に対する管理者などの操作に従って、所持者情報取得部４１が、そのスタッフ１０２の顔画像の画像データおよび属性情報を取得し、所持者登録部４２が、無線通信装置３３で、その画像データおよび属性情報を、そのスタッフ１０２の電子名札装置２へ送信する。電子名札装置２では、所持者設定部２１が、無線通信装置１２でその画像データおよび属性情報を受信し、記憶装置１３に格納する。電子名札装置２の表示制御部２２は、例えば図３に示すように、その画像データおよび属性情報に基づき、そのスタッフ１０２の顔画像および属性情報を表示装置１１に表示させる。
【００５０】
また、スタッフ管理装置７の所持者登録部４２は、そのスタッフ１０２のスタッフＩＤおよびそのスタッフ１０２に割り当てた電子名札装置２の機器ＩＤを監視装置４に通知する。監視装置４は、そのスタッフＩＤおよび機器ＩＤを受信すると、受信したスタッフＩＤおよび機器ＩＤを互いに関連付けて図示せぬデータベースに登録する。
【００５１】
（ａ２）スタッフのゲート通過
【００５２】
施設に入場したい場合、スタッフ１０２は、自己の電子名札装置２を携帯して、ゲート装置６の設置場所に来る。
【００５３】
ゲート装置６は、無線通信で電子名札装置２から電子名札装置２の機器ＩＤおよびスタッフＩＤを取得し、その機器ＩＤおよびスタッフＩＤの対が監視装置４のデータベースに登録されているか否かを判定し、その機器ＩＤおよびスタッフＩＤの対が監視装置４のデータベースに登録されている場合には、そのスタッフ１０２の入場を許可し、そうではない場合には、そのスタッフ１０２の入場を拒否する。
【００５４】
（ａ３）スタッフの監視
【００５５】
施設に入場しているスタッフ１０２は、他者から目視可能な状態で電子名札装置２を携帯しており、施設内を移動する。
【００５６】
センサーネットワーク３は、あるセンサーノードが電子名札装置２を検出すると、そのセンサーノードのノードＩＤおよび電子名札装置２の機器ＩＤを監視装置４に通知する。監視装置４は、そのノードＩＤおよび機器ＩＤを受信すると、そのノードＩＤのセンサーノードの設置場所を特定し、その場所に、その機器ＩＤの電子名札装置２（つまり、その電子名札装置２を割り当てられたスタッフ１０２）が存在すると判定する。これにより、監視装置４は、施設に入場した（つまり、監視領域内にいる）スタッフ１０２の位置を把握することができる。
【００５７】
（ｂ）ゲストに関する動作
【００５８】
（ｂ１）ゲストの登録
【００５９】
ゲスト１０１が施設に来訪したときに、まず、受付において、そのゲスト１０１の身元が確認され、ゲスト１０１の入場が許可された場合、そのゲスト１０１に電子名札装置１（別のゲストに割り当てられていない電子名札装置１）を割り当てる。
【００６０】
ゲスト管理装置５では、受付担当者などの操作に従って、所持者情報取得部４１が、撮影装置３１でそのゲスト１０１の顔画像の画像データを取得し、所持者登録部４２が、無線通信装置３３で、その画像データ、および所持者がゲストであることを示す属性情報を、そのゲスト１０１の電子名札装置１へ送信する。電子名札装置１では、所持者設定部２１が、無線通信装置１２でその画像データおよび属性情報を受信し、記憶装置１３に格納する。電子名札装置１の表示制御部２２は、その画像データおよび属性情報に基づき、例えば図３に示すように、そのゲスト１０１の顔画像、および所持者が「ゲスト」であることを示す画像を表示装置１１に表示させる。
【００６１】
また、ゲスト管理装置５の所持者登録部４２は、そのゲスト１０１に割り当てた電子名札装置１の機器ＩＤを監視装置４に通知する。監視装置４は、その機器ＩＤを受信すると、その機器ＩＤを、ゲストに割り当てられた電子名札装置１として図示せぬデータベースに登録する。
【００６２】
なお、この実施の形態では、ゲスト１０１の登録に、ゲスト１０１の個人情報は不要であるが、スタッフ１０２と同様に、ゲスト１０１の個人情報を属性情報に含め、登録するようにしてもよい。
【００６３】
その後、この電子名札装置１がゲスト１０１に貸与される。この時点で、この電子名札装置１には、ゲスト１０１の顔画像が表示されている。
【００６４】
（ｂ２）ゲストのゲート通過
【００６５】
ゲスト１０１は、受付にて、自己の顔画像が表示されている電子名札装置１を貸与された後、施設に入場するために、ゲート装置６の設置場所に来る。
【００６６】
ゲート装置６は、電子名札装置１と通信し、電子名札装置１の機器ＩＤを取得し、その機器ＩＤが、ゲストに割り当てられたものとして監視装置４のデータベースに登録されているか否かを判定し、その機器ＩＤがそのように監視装置４のデータベースに登録されている場合には、そのゲスト１０１の入場を許可し、そうではない場合には、そのゲスト１０１の入場を拒否する。
【００６７】
（ｂ３）ゲストの監視
【００６８】
施設に入場しているゲスト１０１は、他者から目視可能な状態で電子名札装置１を携帯しており、施設内を移動する。
【００６９】
センサーネットワーク３は、あるセンサーノードが電子名札装置１を検出すると、そのセンサーノードのノードＩＤおよび電子名札装置１の機器ＩＤを監視装置４に通知する。監視装置４は、そのノードＩＤおよび機器ＩＤを受信すると、そのノードＩＤのセンサーノードの設置場所を特定し、その場所に、その機器ＩＤの電子名札装置１（つまり、いずれかのゲスト１０１）が存在すると判定する。これにより、監視装置４は、施設に入場した（つまり、監視領域内にいる）ゲスト１０１の位置を把握することができる。
【００７０】
そして、ゲスト１０１が制限領域（ゲストの進入が許可されていない領域）に進入した場合には、上述のように監視装置４により検知され、監視装置４からの指令に基づき、そのゲスト１０１の電子名札装置１に警告画面が表示されたり警告音が出力されたりする。これにより、ゲスト１０１および他者が、このゲスト１０１が制限領域に進入したことが容易に確認できる。そのため、ゲスト１０１が、悪意を持って制限領域に進入しようとしても、容易に他者に発見される。
【００７１】
また、ゲスト１０１が、施設内でスタッフ１０２の電子名札装置２を不正に入手しスタッフ１０２になりすました場合、ゲスト１０１が、スタッフ１０２の顔画像を表示している電子名札装置２を目視可能に身に付けることになり、ゲスト１０１の顔と電子名札装置２に表示されている顔画像とが異なることから、目視にて容易に他者に発見される。また、そのように目視にて異常行動が発見されやすいため、異常行動の抑止にもなる。
【００７２】
なお、ゲスト１０１がスタッフ１０２になりすまし制限領域に進入しようとする場合には、ゲスト１０１は、自己に割り当てられた電子名札装置１を携帯したままだと上述のようにセンサーネットワーク３によって検知されてしまうので、自己に割り当てられた電子名札装置１を施設内のどこかに隠しておく必要がある。なお、退場時に電子名札装置１を返却する必要があるので、廃棄はできない。つまり、ゲスト１０１は、自己に割り当てられた電子名札装置１を隠し持ちつつ、スタッフ１０２の電子名札装置２を目視可能に身に付けることはできない。また、隠した電子名札装置１が発見されると、ゲスト１０１の顔画像が表示されているため、ただちに、異常行動をしているゲスト１０１が特定される。また、ゲスト１０１が電子名札装置１，２のいずれも目視可能に身に付けていない場合にも、不審者として目視にて容易に他者に発見されてしまう。
【００７３】
このように、ゲスト１０１のこれらの異常行動が容易に検出されるとともに抑止される。
【００７４】
（ｂ４）ゲストの登録抹消
【００７５】
ゲスト１０１は、退場時に、貸与された電子名札装置１を受付に返却する。受付担当者などは、その電子名札装置１についてのゲスト１０１の登録を抹消する。
【００７６】
ゲスト管理装置５では、受付担当者などの操作に従って、登録削除部４３は、顔画像削除指令を無線通信装置３３でその電子名札装置１へ送信する。その電子名札装置１では、設定削除部２３が、記憶装置１３に格納されている顔画像の画像データ（および属性情報）を削除する。
【００７７】
また、ゲスト管理装置５の登録削除部４３は、その電子名札装置１の機器ＩＤを監視装置４に通知する。監視装置４は、その機器ＩＤを受信すると、図示せぬデータベースにおいて、ゲストに割り当てられた電子名札装置１としてのその機器ＩＤを削除する。
【００７８】
これにより、この電子名札装置１は、ゲスト１０１に貸与される前の状態に戻る。
【００７９】
以上のように、上記実施の形態１によれば、電子名札装置２が、施設における各スタッフ１０２に割り当てられ、電子名札装置１が、各ゲスト１０１に割り当てられ貸与される。監視装置４は、施設内の監視領域に設置されているセンサーネットワーク３を使用して、施設内の電子名札装置１，２の位置を監視する。ゲート装置６は、ゲスト１０１が割り当てられた後に電子名札装置１（つまり、ゲスト１０１）が施設へ入場することを許可するとともに、電子名札装置２の認証成功後に電子名札装置２（つまり、スタッフ１０２）が施設へ入場することを許可する。そして、電子名札装置１は、当該電子名札装置１を割り当てられているゲスト１０１の顔画像を表示し、電子名札装置２は、当該電子名札装置２を割り当てられているスタッフ１０２の顔画像を表示する。ゲスト管理装置５は、撮影装置３１で、施設内でかつ監視領域外でゲスト１０１の顔画像を撮影し、撮影したゲスト１０１の顔画像を無線通信で電子名札装置１に送信し表示させる。
【００８０】
これにより、監視領域内でのゲスト１０１の異常行動を目視で容易に発見できる。
【００８１】
実施の形態２．
【００８２】
図５は、実施の形態２における電子名札装置１，２の一例を示すブロック図である。
【００８３】
実施の形態２では、電子名札装置１，２は、それぞれ、赤外線通信装置などの、指向性のある指向性無線送受信部６１をさらに備える。
【００８４】
指向性無線通信部６１は、それぞれ、スタッフまたはゲストの顔画像の表示面（つまり、表示装置１１のスクリーン面）に垂直な方向を含み、かつ表示面に平行な方向を含まない所定の角度範囲で通信可能となっている。この角度範囲は、水平方向において１８０度未満であって、例えば４５度とされる。
【００８５】
また、指向性無線通信部６１は、それぞれ、内蔵される電子名札装置１，２に固有な機器ＩＤを送信する。そして、各電子名札装置１，２の各指向性無線通信部６１は、別の電子名札装置１，２のうち、通信可能な電子名札装置１，２の指向性無線通信部６１からの機器ＩＤを受信する。つまり、各電子名札装置１，２の指向性無線通信部６１は、その指向性無線通信部６１の通信可能範囲に別の電子名札装置１，２が進入した場合に、別の電子名札装置１，２の機器ＩＤを受信する。
【００８６】
各電子名札装置１，２の無線通信装置１２は、機器ＩＤを受信した場合、受信した機器ＩＤを、自己の機器ＩＤとともに、ゲスト管理装置５へ送信する。
【００８７】
そして、上述のゲストの監視において、ゲスト管理装置５は、電子名札装置１，２により受信された機器ＩＤとその受信した電子名札装置１，２の機器ＩＤとの対を受信すると、その対に基づいて、スタッフ１０２に割り当てられた電子名札装置２の指向性無線通信部６１により機器ＩＤが所定時間全く受信されなかった、ゲスト１０１の電子名札装置１を検出する。また、ゲスト管理装置５は、ゲスト１０１に割り当てられた電子名札装置１の指向性無線通信部６１により、スタッフ１０２に割り当てられた電子名札装置２の機器ＩＤを所定時間全く受信しなかった、ゲスト１０１の電子名札装置１を検出する。なお、この所定時間は、電子名札装置１がゲート装置６を通過してからの時間、または、最後に上述の対が受信されてからの時間である。
【００８８】
例えば、ゲスト管理装置５によりそのようなゲスト１０１の電子名札装置１が検出されると、監視装置４は、検出された電子名札装置１へセンサーネットワーク３を使用して、警告指令を送信する。そして、そのゲスト１０１の電子名札装置１では、警告処理部２４が、無線通信装置１２でその警告指令を受信すると、警告画面を表示装置１１の薄型ディスプレイパネル１１ａに表示させる。また、併せて、警告処理部２４は、音声出力部１４に警告音を出力させてもよい。
【００８９】
なお、実施の形態２に係るセキュリティシステムのその他の構成および動作については実施の形態１のものと同様であるので、その説明を省略する。
【００９０】
以上のように、上記実施の形態２によれば、各電子名札装置１，２に指向性無線通信部６１が内蔵されており、互いに正対した電子名札装置１，２が、それぞれ、相手側の機器ＩＤを受信し、ゲスト管理装置５に送信している。
【００９１】
これにより、ゲスト管理装置５は、所定時間、いずれのスタッフ１０２とも正対していないゲスト１０１を検出することができ、スタッフ１０２から隠れるようにして行動しているゲストを検出することができ、異常行動をしている可能性のあるゲスト１０１の発見できる。
【００９２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００９３】
例えば、上記実施の形態１，２において、電子名札装置１，２は、スタッフ１０２およびゲスト１０１の操作を受け付ける入力装置（ハードキーなど）を備えていないようにしてもよい。これにより、ゲスト１０１による電子名札装置１，２の不正操作が防止される。
【００９４】
また、上記実施の形態１，２において、電子名札装置１，２の電源部１６は、電源管理モードとして、待機モードおよび稼働モードを有するようにしてもよい。待機モードでは、表示装置１１が消灯され、電子名札装置１，２が省電力動作する。稼働モードでは、表示装置１１が点灯される。例えば、電子名札装置１，２の電源部１６は、外部装置から無線通信装置１２でモード選択指令を受け付け、そのモード選択指令に従って、電源管理モードを待機モードおよび稼働モードから選択するようにしてもよい。また、ゲスト１０１の電子名札装置１については、電子名札装置１にゲスト１０１の顔画像が登録されたときに（つまり、記憶装置１３にゲスト１０１の顔画像が記憶されたときに）、電源管理モードが稼働モードに自動的に切り替えられ、電子名札装置１にゲスト１０１から顔画像が削除されたときに（つまり、記憶装置１３内にゲスト１０１の顔画像の画像データが削除されたときに）、電源管理モードが待機モードに自動的に切り替えられるようにしてもよい。また、スタッフ１０２の電子名札装置２の電源部１６は、施設外で待機モードを自動的に選択し、施設内に入ると稼働モードを自動的に選択するようにしてもよい。その場合、例えば、施設内でかつ監視領域外の領域にセンサーネットワーク３のセンサーノードと同様の無線通信方式のビーコンなどを設置しておき、電子名札装置２の電源部１６は、無線通信装置１２を使用して、センサーノードやビーコンとの無線通信に基づいて、施設内に進入したことを検出する。
【００９５】
また、上記実施の形態２において、電子名札装置１は、ゲスト１０１に割り当てられた電子名札装置１の指向性無線通信部６１により、スタッフ１０２に割り当てられた電子名札装置２の機器ＩＤを所定時間全く受信しなかった場合、ただちに、上述のようにして、警告画面を表示装置１１の薄型ディスプレイパネル１１ａに表示させるようにしてもよい。
【産業上の利用可能性】
【００９６】
本発明は、例えば、企業施設内のセンサーネットワークを利用したセキュリティシステムに適用可能である。
【符号の説明】
【００９７】
１  電子名札装置（ゲスト用電子名札装置の一例）
２  電子名札装置（スタッフ用電子名札装置の一例）
３  センサーネットワーク
４  監視装置
５  ゲスト管理装置
６  ゲート装置
１１  表示装置
１２  無線通信装置（第１無線通信装置の一例）
３１  撮影装置
３３  無線通信装置（第２無線通信装置の一例）
４２  所持者登録部
【図１】
2018124958.tif 000003
【図２】
2018124958.tif 000004
【図３】
2018124958.tif 000005
【図４】
2018124958.tif 000006
【図５】
2018124958.tif 000007